【手続補正書】
【提出日】平成26年6月10日(2014.6.10)
【手続補正１】
【補正対象書類名】特許請求の範囲
【補正対象項目名】全文
【補正方法】変更
【補正の内容】
【特許請求の範囲】
【請求項１】
１対の電極を有する放電灯と、
前記１対の電極に駆動電流を供給する駆動装置と、を有し、
前記駆動電流は、周波数が１ｋＨｚ以上１０ＧＨｚ以下の交流電流を含み、かつ、前記交流電流が供給される電流供給区間と、前記交流電流が供給されない供給停止区間とを交互に繰り返すよう構成されていることを特徴とする光源装置。
【請求項２】
前記供給停止区間の期間は、１０μｓｅｃ〜５ｍｓｅｃである請求項１に記載の光源装置。
【請求項３】
前記電流供給区間の期間は、１〜１００ｍｓｅｃである請求項１または２に記載の光源装置。
【請求項４】
前記電流供給区間と前記供給停止区間との合計の期間をＡ、前記電流供給区間の期間をＢとしたとき、Ｂ／Ａが１０％以上９９％以下に設定されている請求項１ないし３のいずれかに記載の光源装置。
【請求項５】
前記電流供給区間において、前記交流電流の振幅は、一定である請求項１ないし４のいずれかに記載の光源装置。
【請求項６】
前記電流供給区間において、前記交流電流の振幅は、段階的に変化している請求項１ないし４のいずれかに記載の光源装置。
【請求項７】
前記駆動装置は、前記交流電流の振幅を変調し、振幅変調された前記交流電流を前記駆動電流として前記１対の電極に供給可能であり、
前記電流供給区間において、前記交流電流の振幅は、段階的に減少している請求項６に記載の光源装置。
【請求項８】
前記駆動装置は、前記交流電流の振幅を変調し、振幅変調された前記交流電流を前記駆動電流として前記１対の電極に供給可能であり、
前記電流供給区間において、前記交流電流の振幅は、段階的に増加している請求項６に記載の光源装置。
【請求項９】
前記駆動装置は、前記交流電流の振幅を変調し、振幅変調された前記交流電流を前記駆動電流として前記１対の電極に供給可能であり、
前記電流供給区間は、第１の電流供給区間と、前記第１の電流供給区間よりも前記交流電流の振幅が小さい第２の電流供給区間とを含み、
前記第１の電流供給区間と前記第２の電流供給区間との間に前記供給停止区間が設けられている請求項１ないし８のいずれかに記載の光源装置。
【請求項１０】
前記交流電流の周波数は、１ｋＨｚ以上１００ｋＨｚ以下、または、３ＭＨｚ以上１０ＧＨｚ以下である請求項１ないし９のいずれかに記載の光源装置。
【請求項１１】
前記駆動電流の供給により前記放電灯が点灯している際、前記１対の電極の温度が変動し、該１対の電極の先端部に突起が形成される請求項１ないし１０のいずれかに記載の光源装置。
【請求項１２】
１対の電極を有する放電灯の駆動方法であって、
周波数が１ｋＨｚ以上１０ＧＨｚ以下の交流電流を生成し、
前記交流電流が供給される電流供給区間と、前記駆動電流の供給が停止される供給停止区間とを交互に繰り返す駆動電流を生成し、
前記駆動電流を前記１対の電極に供給することを特徴とする放電灯の駆動方法。
【請求項１３】
請求項１から請求項１１のいずれかに記載の光源装置と、
前記光源装置から出射した光を画像情報に基づいて変調する変調装置と、
前記変調装置により変調された光を投射する投射装置と、を有することを特徴とするプロジェクター。
【手続補正２】
【補正対象書類名】明細書
【補正対象項目名】０００７
【補正方法】変更
【補正の内容】
【０００７】
このような目的は、下記の本発明により達成される。
本発明の光源装置は、１対の電極を有する放電灯と、
前記１対の電極に駆動電流を供給する駆動装置と、を有し、
前記駆動電流は、周波数が１ｋＨｚ以上１０ＧＨｚ以下の交流電流を含み、かつ、前記交流電流が供給される電流供給区間と、前記交流電流が供給されない供給停止区間とを交互に繰り返すよう構成されていることを特徴とする。
これにより、放電灯の黒化を抑制し、電極間距離を一定の距離に保持して、放電灯を駆動することができる。
【手続補正３】
【補正対象書類名】明細書
【補正対象項目名】００１０
【補正方法】変更
【補正の内容】
【００１０】
本発明の光源装置では、前記駆動装置は、前記交流電流の振幅を変調し、振幅変調された前記交流電流を前記駆動電流として前記１対の電極に供給可能であり、
前記電流供給区間において、前記交流電流の振幅は、段階的に減少していることが好ましい。
これにより、電極での突起の成長が容易に起こり、よって、電極間距離を一定の距離に保持することができる。これにより、放電灯を効率良く駆動することができる。
【手続補正４】
【補正対象書類名】明細書
【補正対象項目名】００１１
【補正方法】変更
【補正の内容】
【００１１】
本発明の光源装置では、前記駆動装置は、前記交流電流の振幅を変調し、振幅変調された前記交流電流を前記駆動電流として前記１対の電極に供給可能であり、
前記電流供給区間において、前記交流電流の振幅は、段階的に増加していることが好ましい。
これにより、電極での突起の成長が容易に起こり、よって、電極間距離を一定の距離に保持することができる。これにより、放電灯を効率良く駆動することができる。
【手続補正５】
【補正対象書類名】明細書
【補正対象項目名】００１２
【補正方法】変更
【補正の内容】
【００１２】
本発明の光源装置では、前記駆動装置は、前記交流電流の振幅を変調し、振幅変調された前記交流電流を前記駆動電流として前記１対の電極に供給可能であり、
前記電流供給区間は、第１の電流供給区間と、前記第１の電流供給区間よりも前記交流電流の振幅が小さい第２の電流供給区間とを含み、
前記第１の電流供給区間と前記第２の電流供給区間との間に前記供給停止区間が設けられていることが好ましい。
これにより、電極での突起の成長（形成）が促進される。
【手続補正６】
【補正対象書類名】明細書
【補正対象項目名】００１４
【補正方法】変更
【補正の内容】
【００１４】
本発明の放電灯の駆動方法は、１対の電極を有する放電灯の駆動方法であって、
周波数が１ｋＨｚ以上１０ＧＨｚ以下の交流電流を生成し、
前記交流電流が供給される電流供給区間と、前記駆動電流の供給が停止される供給停止区間とを交互に繰り返す駆動電流を生成し、
前記駆動電流を前記１対の電極に供給することを特徴とする。
これにより、放電灯の黒化を抑制し、電極間距離を一定の距離に保持して、放電灯を駆動することができる。
【手続補正７】
【補正対象書類名】明細書
【補正対象項目名】００１５
【補正方法】変更
【補正の内容】
【００１５】
本発明のプロジェクターは、本発明の光源装置と、
前記光源装置から出射した光を画像情報に基づいて変調する変調装置と、
前記変調装置により変調された光を投射する投射装置と、を有することを特徴とする。
これにより、放電灯の黒化を抑制し、電極間距離を一定の距離に保持して、放電灯を駆動することができる。
【手続補正８】
【補正対象書類名】明細書
【補正対象項目名】００３０
【補正方法】変更
【補正の内容】
【００３０】
さて、前述したように、放電灯駆動装置２００では、駆動電流を供給し続ける電流供給区間４１と、駆動電流の供給を停止する供給停止区間４２とが交互に繰り返される。
そして、電流供給区間４１と供給停止区間４２の合計の期間をＡ、電流供給区間４１の期間をＢとしたとき、その期間Ａと期間Ｂの比Ｂ／Ａは、特に限定されず、諸条件に応じて適宜設定されるが、１０％以上、９９％以下であることが好ましい。この数値範囲の中でも、特に、電流供給区間４１の期間Ｂが供給停止区間の期間Ｃ（＝期間Ａ−期間Ｂ）よりも長いのがより好ましい、すなわち、５０％を越え、９９％以下であることがより好ましい。
【手続補正９】
【補正対象書類名】明細書
【補正対象項目名】００３１
【補正方法】変更
【補正の内容】
【００３１】
具体的には、電流供給区間４１の期間Ｂは、１〜１００ｍｓｅｃであるのが好ましく、２〜２０ｍｓｅｃであるのがより好ましい。一方、供給停止区間４２の期間Ｃは、１０μｓｅｃ〜５ｍｓｅｃであるのが好ましく、５０μｓｅｃ〜２ｍｓｅｃであるのがより好ましい。
前記比Ｂ／Ａが前記下限値よりも小さいと、他の条件によっては、突起６１８、７１８が潰れてしまい、また、前記上限値よりも大きいと、他の条件によっては、突起６１８、７１８が形成されない。